(57)【要約】【課題】集塵ボックスの容量を減らすこと無くアタッチメントが収納できると共に、アタッチメントの付け忘れの無い集塵装置を提供する。【解決手段】前側に塵埃を含む空気が流入する連通穴１２を、後ろ側に開口部（図示せず）をそれぞれ設けた集塵ボックス１１ａと、塵埃を捕捉し空気を通すフィルター２２を有すると共に前記開口部を開閉するフィルター部１１ｂとからなり、集塵ボックス１１ａとフィルター部１１ｂのそれぞれに爪部３０ａ、３０ｂを設け、爪部３０ａ、３０ｂに、フィルター２２を掃除するためのアタッチメント３１を係合させることにより、集塵ボックス１１ａとフィルター部１１ｂとを密閉するもので、集塵ボックス１１ａとフィルター部１１ｂとの固定とアタッチメント３１の収納が兼ねられるので、集塵ボックス１１ａの集塵容量の減少を防ぐと共に、アタッチメント３１の付け忘れも防ぐことができる。【選択図】図２
2007296252.tif 000002
【特許請求の範囲】
【請求項１】
前側に塵埃を含む空気が流入する連通穴を、後ろ側に開口部をそれぞれ設けた集塵ボックスと、塵埃を捕捉し空気を通すフィルターを有すると共に前記開口部を開閉するフィルター部とからなり、前記集塵ボックスと前記フィルター部のそれぞれに爪部を設け、前記集塵ボックスと前記フィルター部のそれぞれの爪部に、前記フィルターを掃除するためのアタッチメントを係合させることにより、前記集塵ボックスと前記フィルター部とを密閉する構成とした集塵装置。
【請求項２】
集塵ボックスと前記フィルター部を、爪部と反対側で回動自在に連結した請求項１に記載の集塵装置。
【請求項３】
集塵ボックスとフィルター部の一方に凹状部を形成し、他方に前記凹状部に回動自在に嵌合する凸状部を設けて、両部品を回動自在に連結した請求項２に記載の集塵装置。
【請求項４】
アタッチメントにブラシを設けた請求項１〜３のいずれか１項に記載の集塵装置。
【請求項５】
爪部を、集塵ボックスとフィルター部のそれぞれの上方に設けた請求項１〜４のいずれか１項に記載の集塵装置。
【請求項６】
爪部を、集塵ボックスとフィルター部のそれぞれの下方に設けた請求項１〜４のいずれか１項に記載の集塵装置。
【請求項７】
電動送風機と、請求項１〜６のいずれか１項に記載の集塵装置と、前記集塵装置を収納する集塵装置収納部を備えた電気掃除機。
【発明の詳細な説明】
【技術分野】
【０００１】
本発明は、集塵装置およびそれを用いた電気掃除機に関するものである。
【背景技術】
【０００２】
従来、この種の集塵装置は、塵埃を溜める集塵部と、塵埃を捕捉するフィルター部のそれぞれに設けられた尾錠部の嵌合によって集塵装置が構成されていた（例えば、特許文献１参照）。
【特許文献１】特開２００５−３１８９１５号公報
【発明の開示】
【発明が解決しようとする課題】
【０００３】
しかしながら、前記従来の集塵装置の構成では、フィルター部を掃除するためのアタッチメントを備えようとすると、アタッチメントを収納するためのアタッチメント専用の収納部を設ける必要があり、前記収納部を前記集塵装置に備えることによって、前記収納部のスペース分だけ前記集塵装置の容量が減ってしまう。また、前記収納部が独立して存在し、前記収納部としての役割しか果たさないため、前記アタッチメントの付け忘れによって紛失しやすく、また前記アタッチメントの紛失によって前記収納部が全く無駄なスペースとなってしまうという課題があった。
【０００４】
本発明は、前記従来の課題を解決するもので、集塵装置の集塵ボックスの容量の減少を防ぎ、またアタッチメントの付け忘れを防ぐことができる集塵装置と電気掃除機を提供することを目的とする。
【課題を解決するための手段】
【０００５】
上記従来の課題を解決するために、本発明の集塵装置は、前側に塵埃を含む空気が流入する連通穴を、後ろ側に開口部をそれぞれ設けた集塵ボックスと、塵埃を捕捉し空気を通すフィルターを有すると共に前記開口部を開閉するフィルター部とからなり、前記集塵ボックスと前記フィルター部のそれぞれに爪部を設け、前記集塵ボックスと前記フィルター部のそれぞれの爪部に、前記フィルターを掃除するためのアタッチメントを係合させることにより、前記集塵ボックスと前記フィルター部とを密閉する構成としたもので、アタッチメントを収納する収納部が前記集塵ボックスと前記フィルター部との固定を兼ねる事によって、アタッチメントを収納する収納部を独立して設けることによる集塵ボックスの容量の減少を防ぐと共に、前記アタッチメントを取り付けないと集塵ボックスとフィルター部との固定ができないので、アタッチメントの付け忘れを防ぐことができる。
【０００６】
又、本発明の電気掃除機は、電動送風機と、請求項１〜６のいずれか１項に記載の集塵装置と、前記集塵装置を収納する集塵装置収納部を備えたもので、集塵ボックスの容量を減らすこと無くアタッチメントが収納できると共に、アタッチメントの付け忘れが無いので、使用勝手の良い電気掃除機を提供することができる。
【発明の効果】
【０００７】
本発明の集塵装置は、アタッチメントの収納によって、集塵ボックスとフィルター部とを密閉することができると共に、アタッチメントの付け忘れを防止できる。又、集塵ボックス密閉のための尾錠構成を省くことができ、集塵ボックスの容量がアタッチメント収納部を設けることにより減少することを防ぐことができる。
【発明を実施するための最良の形態】
【０００８】
第１の発明は、前側に塵埃を含む空気が流入する連通穴を、後ろ側に開口部をそれぞれ設けた集塵ボックスと、塵埃を捕捉し空気を通すフィルターを有すると共に前記開口部を開閉するフィルター部とからなり、前記集塵ボックスと前記フィルター部のそれぞれに爪部を設け、前記集塵ボックスと前記フィルター部のそれぞれの爪部に、前記フィルターを掃除するためのアタッチメントを係合させることにより、前記集塵ボックスと前記フィルター部とを密閉する構成としたもので、アタッチメントを収納する収納部が前記集塵ボックスと前記フィルター部との固定を兼ねる事によって、アタッチメントを収納する収納部を独立して設けることによる集塵ボックスの容量の減少を防ぐと共に、前記アタッチメントを取り付けないと集塵ボックスとフィルター部との固定ができないので、アタッチメントの付け忘れを防ぐことができる。
【０００９】
第２の発明は、特に、第１の発明の集塵ボックスと前記フィルター部を、爪部と反対側で回動自在に連結したもので、集塵ボックスとフィルター部とが常に連結されているため、片方が紛失することを防ぐことができる。
【００１０】
第３の発明は、特に、第２の発明の集塵ボックスとフィルター部の一方に凹状部を形成し、他方に前記凹状部に回動自在に嵌合する凸状部を設けて、両部品を回動自在に連結したもので、集塵ボックスとフィルター部の分離が容易になり、それぞれ水洗いしやすく、メンテナンスが容易となる。
【００１１】
第４の発明は、特に、第１〜３のいずれか一つの発明のアタッチメントにブラシを設けたもので、フィルターに付着した塵埃を容易に除去することが出来る。
【００１２】
第５の発明は、特に、第１〜４のいずれか一つの発明の爪部を、集塵ボックスとフィルター部のそれぞれの上方に設けたもので、アタッチメントを取り外してフィルター部を開くときに上側が開口するので、塵埃が床面などにこぼれるのを防ぐことができるとともに、アタッチメントの取り付けも容易である。
【００１３】
第６の発明は、特に、第１〜４のいずれか一つの発明の爪部を、集塵ボックスとフィルター部のそれぞれの下方に設けたもので、アタッチメントを取り外してフィルター部を開くときに下側が開口するので、集塵ボックス内の塵埃が重力により自然と落下することになり、ごみ捨てが容易となる。
【００１４】
第７の発明は、電気掃除機に、電動送風機と、請求項１〜６のいずれか１項に記載の集塵装置と、前記集塵装置を収納する集塵装置収納部を備えたもので、集塵ボックスの容量を減らすこと無くアタッチメントが収納できると共に、アタッチメントの付け忘れが無いので、使用勝手の良い電気掃除機を提供することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における集塵装置を搭載した電気掃除機の断面図、図２は、同電気掃除機の斜視図、図３は、同集塵装置を開けた様子を示す斜視図、図４は、同集塵装置の断面図である。
【００１７】
図１〜４において、電気掃除機本体１は、本体ケース６で囲われ、電気掃除機本体１には、前方にホース（図示せず）を差し込むための吸込口２が設けられ、この吸込口２の後方に、集塵装置１１が収納される集塵装置収納部３が形成され、さらに、この集塵装置収納部３の後方に、電動送風機４が内蔵された電動送風機室５が設けられている。
【００１８】
吸込口２には、ホースを挿入するためのホース挿入部９が設けられ、また、集塵装置収納部３をシールするためのシール手段であるパッキンインレット１０が設けられている。
【００１９】
集塵装置収納部３は、上面が開口しており、この開口３ａは本体ケース６に一端を回動自在に支持された外蓋７により開閉される。また、開口３ａの周縁部には、外蓋７を閉じた時、開口をシールするパッキン８が設けられている。
【００２０】
集塵装置収納部３に収納される集塵装置１１は、図３に示すように、集塵ボックス１１ａと、後側に位置すると共に、集塵ボックス１１ａに回動自在に取り付けられたフィルター部１１ｂからなり、集塵ボックス１１ａは、ＡＢＳ樹脂等の透明樹脂でできており、前側に吸込口２と連通するための連通穴１２が、後ろ側にフィルター部１１ｂで開閉される開口部１１ｃがそれぞれ設けられ、連通穴１２には逆止弁１３が取付けられ、この逆止弁１３は、パッキンインレット１０に一側が接合している。
【００２１】
フィルター部１１ｂは、枠体２３と、それに一体成形されたフィルター２２から形成されている。
【００２２】
枠体２３の集塵ボックス１１ａ側の全周に、シール手段であるシールパッキン２４ａが設けられ、フィルター部１１ｂを閉じたとき、集塵ボックス１１ａを密封できる。フィルター部１１ｂは、枠体２３の下側に設置された２箇所のヒンジ部２５により集塵ボックス１１ａに開閉可能に取付けられている。
【００２３】
集塵ボックス１１ａの上側には、爪部３０ａが設けられ、枠体２３の上側の前記爪部３０ａと対向する位置に爪部３０ｂが設けられ、集塵ボックス１１ａ、フィルター部１１ｂ、爪部３０ａ、および爪部３０ｂによってできる空間にフィルター２２を清掃するためのアタッチメント３１を横方向からスライドし、アタッチメント３１に設けられた溝部３２に、上記爪部３０ａ、３０ｂを係合させることによって、集塵ボックス１１ａとフィルター部１１ｂが密閉、固定される構成となっている。
【００２４】
つまり、集塵装置１１の開閉は、アタッチメント３１の取り外し、取り付けによって行うものである。フィルター２２は、プリーツ加工（断面波形状に加工）された細塵用フィルターであり、プリーツ加工された断面波形状の山と谷の折り目の方向はフィルター全体で上下方向に揃えてあり、フィルター部１１ｂを閉じたとき、集塵ボックス１１ａとフィルター部１１ｂの接合部のうち、この折り目方向の一方にヒンジ部２５、もう一方に爪部３０ａ、３０ｂが設けられている。図３では、集塵装置１１の上側の結合部に爪部３０ａ、３０ｂ、下側にヒンジ部２５が設けられている。
【００２５】
フィルター２２の前には、カバー２８と一体成形され、材質がナイロン又はポリエステルのネット状の粗塵捕集用のプレフィルター２７が設置されている。ここで、カバー２８の外周部と枠体２３の外周部のうち、少なくとも一方には、フィルター２２の面と垂直方向に突出するリブ２９が設けられている。図３では、フィルター２２の前に設置されたプレフィルター２７の図示は省略され、カバー２８からのフィルター２２の面と垂直方向に突出するリブ２９を図示している。
【００２６】
また、集塵装置１１のフィルター部１１ｂのフィルター２２の後側、即ち、枠体２３の開口周辺部と電動送風機室５に通じる集塵装置収納部３の後壁との結合部に、シール手段であるシールパッキン２４ｂが設けられ、集塵装置１１が集塵装置収納部３に収納されたとき、フィルター部１１ｂの後側の周辺部と集塵装置収納部３の後壁とをシールする。
【００２７】
このシールパッキン２４ｂは、枠体２３に一体に成形される。このように構成された集塵ボックス１１ａは、集塵装置収納部３に収納されたとき、シール手段により、吸入口２と逆止弁１３との接合部、集塵ボックス１１ａとフィルター部１１ｂとの接合部及びフィルター部１１ｂの後部の開口周辺部と集塵装置収納部３の後壁との接合部をシールすることにより、集塵装置収納部３から密閉される。
【００２８】
以上のように構成された集塵装置１１を搭載した電気掃除機の動作について説明する。
【００２９】
電動送風機４の駆動により、外部の塵埃は、吸入口２より電気掃除機本体１内に入り、逆止弁１３を通り、直線的に勢いよくネット状のプレフィルター２７にぶつかる。このとき、粗塵はプレフィルター２７でろ過される。細塵は、空気と共に、プレフィルター２７を通過して、次のメインフィルターであるフィルター２２にぶつかる。フィルター２２は圧損が大きく、簡単には通過できず、ぶつかった細塵と空気は、プリーツ加工されたフィルター２２の断面波形状の谷部の折り目に沿って勢いよくフィルター部１１ｂの上下方向に向きを変えて進行する。
【００３０】
しかし、フィルター２２の折り目方向の集塵ボックス１１ａとフィルター部１１ｂとの結合部には、ヒンジ部２５及び爪部３０ａ、３０ｂが設けられているので、集塵装置１１の集塵ボックス１１ａとフィルター部１１ｂとの結合部のこの方向の密着性が良く、シールパッキン２４ａから集塵装置１１の外部に細かい塵埃は排出されることがなく、外蓋７及び集塵装置収納部３を汚すことはない。
【００３１】
また、カバー２８又は枠体２３の外周部にフィルター２２の面と垂直に突設したリブ２９を設けているので、このリブ２９が壁になり、細かい塵埃の集塵装置１１の外部への排出を防止することができる。
【００３２】
また、集塵ボックス１１ａとフィルター部１１ｂが、ヒンジ部２５で回動自在に常に連結されているので、片方が紛失することを防ぐことができる。
【００３３】
また、爪部３０ａ、３０ｂが、集塵ボックス１１ａとフィルター部１１ｂのそれぞれの上方に設けられているので、アタッチメント３１を取り外してフィルター部１１ｂを開くときに上側が開口するので、塵埃が床面などにこぼれるのを防ぐことができるとともに、アタッチメント３１の取り付けも容易である。
【００３４】
なお、上記実施の形態では、集塵ボックス１１ａとフィルター部１１ｂとの連結をヒンジ部２５で行ったが、集塵ボックス１１ａとフィルター部１１ｂの一方に凹状部（図示せず）を形成し、他方に前記凹状部に回動自在に嵌合する凸状部（図示せず）を設けて、両部品を回動自在に連結すれば、集塵ボックス１１ａとフィルター部１１ｂの分離が容易になり、それぞれ水洗いしやすく、メンテナンスが容易となる。
【００３５】
また、アタッチメント３１にブラシ３１ａを設けるようにすれば、フィルター２２に付着した塵埃を容易に除去することが出来る。
【００３６】
また、上記実施の形態では、爪部を、集塵ボックス１１ａとフィルター部１１ｂのそれぞれの上方に設けたが、集塵ボックス１１ａとフィルター部１１ｂのそれぞれの下方に設けても良い。そうすれば、アタッチメント３１を取り外してフィルター部１１ｂを開くときに下側が開口するので、集塵ボックス１１ａ内の塵埃が重力により自然と落下することになり、ごみ捨てが容易となる。
【産業上の利用可能性】
【００３７】
以上のように、本発明にかかる集塵装置は、集塵ボックスとフィルター部との開閉を、フィルター掃除用のアタッチメントの取り外し取り付けによって行うことによって、アタッチメントの付け忘れを防止できるとともに、アタッチメント収納部を設けることによる集塵ボックスの容量減少を防ぐことができるもので、集塵装置を設けた掃除機全般に適用することができる。
【図面の簡単な説明】
【００３８】
【図１】本発明の第１の実施の形態における集塵装置を搭載した電気掃除機の断面図
【図２】同電気掃除機の斜視図
【図３】同集塵装置を開けた様子を示す斜視図
【図４】同集塵装置の断面図
【符号の説明】
【００３９】
１      電気掃除機本体
２      吸込口
３      集塵装置収納部
４      電動送風機
５      電動送風機室
６      本体ケース
１１    集塵装置
１１ａ  集塵ボックス
１１ｂ  フィルター部
１１ｃ  開口部
１２    連通穴
２２    フィルター
２５    ヒンジ部
２７    プレフィルター
２９    リブ
３０ａ  、３０ｂ  爪部
３１    アタッチメント
【図１】
2007296252.tif 000003
【図２】
2007296252.tif 000004
【図３】
2007296252.tif 000005
【図４】
2007296252.tif 000006